(57)【要約】  【課題】  ガスの発生がないかあるいは少ない安全性の高い薬剤を用いた場合にも有効なヌメリ発生防止具を提供すること。  【解決手段】  排水口３に設置されて排水口３におけるヌメリの発生を防止するヌメリ発生防止具１であって、バイオフィルムの形成を阻害する薬剤４を収容する容器５を備えており、この容器５は、薬剤４が載置されるトレイ６と、これを覆う蓋７とからなり、この蓋７は、薬剤４を溶解するよう容器５内に流入する水の流入孔８を有する一方、前記トレイ６は、容器５内から流出する薬剤溶解液の流出孔９を前記流入孔８よりも低い位置に有し、さらに、前記トレイ６は、容器５内に水が流入しなくなった状態で、先に容器５内に流入した水によって溶解された薬剤４の一部が溜まるように構成してある。【選択図】        図２
2006233480.tif 000002
【特許請求の範囲】
【請求項１】
排水口に設置されて排水口におけるヌメリの発生を防止するヌメリ発生防止具であって、バイオフィルムの形成を阻害する薬剤を収容する容器を備えており、この容器は、薬剤が載置されるトレイと、これを覆う蓋とからなり、この蓋は、薬剤を溶解するよう容器内に流入する水の流入孔を有する一方、前記トレイは、容器内から流出する薬剤溶解液の流出孔を前記流入孔よりも低い位置に有し、さらに、前記トレイは、容器内に水が流入しなくなった状態で、先に容器内に流入した水によって溶解された薬剤の一部が溜まるように構成してあることを特徴とするヌメリ発生防止具。
【請求項２】
容器内に水が流入しなくなった状態では、前記薬剤溶解液が前記薬剤に接触しないように構成されている請求項１に記載のヌメリ発生防止具。
【請求項３】
排水口に設置されて排水口におけるヌメリの発生を防止するヌメリ発生防止具であって、バイオフィルムの形成を阻害する薬剤を収容する内側容器と、この内側容器を内蔵する外側容器の二重構造を備えており、内側容器は、薬剤が載置されるトレイと、これを覆う蓋とからなり、この蓋は、薬剤を溶解するよう内側容器内に流入する水の流入孔を有し、内側容器内から流出する薬剤溶解液の流出孔を前記流入孔よりも低い位置に有する一方、前記トレイは、内側容器内に水が流入しなくなった状態では、前記薬剤溶解液が前記薬剤に接触しないように前記流出孔の下方に水抜き用の孔が設けられており、また、外側容器は、水の流入孔と薬剤溶解液および水の流出孔を有することを特徴とするヌメリ発生防止具。
【発明の詳細な説明】
【技術分野】
【０００１】
この発明は、浴室の洗い場やシャワー室の排水口に用いるのに好適なヌメリ発生防止具に関するものである。
【背景技術】
【０００２】
例えばユニットバスの洗い場の排水口のヌメリを除去するために、排水口に設けられる浴室用ヌメリ除去具がある。これは、殺菌作用を有する薬剤と、この薬剤を収容した容器とからなり、例えば排水口の排水穴に設けた排水孔付蓋の上に載置される。そして、排水が浴室用ヌメリ除去具を通り抜けるときに、前記薬剤に接触し、排水孔付蓋を含む排水口の殺菌を効果的に行え、これらに付着しているヌメリを効果的に除去できる。
【発明の開示】
【発明が解決しようとする課題】
【０００３】
しかし、前記薬剤は一般的に塩素系のガスを発生するものであり、ガスの発生が少ない薬剤が望まれていた。
【０００４】
この発明は、上述の事柄に留意してなされたもので、その目的は、ガスの発生がないかあるいは少ない安全性の高い薬剤を用いた場合にも有効なヌメリ発生防止具を提供することである。
【課題を解決するための手段】
【０００５】
上記目的を達成するために、この発明のヌメリ発生防止具は、排水口に設置されて排水口におけるヌメリの発生を防止するヌメリ発生防止具であって、バイオフィルムの形成を阻害する薬剤を収容する容器を備えており、この容器は、薬剤が載置されるトレイと、これを覆う蓋とからなり、この蓋は、薬剤を溶解するよう容器内に流入する水の流入孔を有する一方、前記トレイは、容器内から流出する薬剤溶解液の流出孔を前記流入孔よりも低い位置に有し、さらに、前記トレイは、容器内に水が流入しなくなった状態で、先に容器内に流入した水によって溶解された薬剤の一部が溜まるように構成してあることを特徴としている（請求項１）。
【０００６】
ここでバイオフィルムとは、微生物が排出するスライムで囲まれた微生物の集合体で、ヌメリの薄膜である。このバイオフィルムの形成を阻害すればヌメリ発生防止に大きな効果が得られる。そして、バイオフィルムの形成を阻害する薬剤としては、例えばダイマー３８（商品名；イヌイ株式会社製）があり、これは有害なガスを発生することがなく人体に対しては安全性が高い。
このバイオフィルムの形成を阻害する薬剤は、第４アンモニウム塩を主たる成分としている。そして、この薬剤は、例えば浴室においては、石鹸水や皮脂などの蛋白質（ペプトン）を含む排水が接触するとヌメリの発生防止機能が低下する性質のものであることが分かっている。
【０００７】
そこで、この発明では、容器内に、ヌメリの発生防止機能を低下させずに前記バイオフィルムの形成を阻害する薬剤を溶解させる水〔例えばシャワーなどの清浄な水供給源からの蛋白質（ペプトン）を含まない水〕を流入させるべく、前記請求項１のように構成したのである。
【０００８】
この場合、容器内に前記水が流入しなくなった状態では、前記薬剤溶解液が前記薬剤に接触しないように構成するのが好ましい（請求項２）。
【０００９】
また、容器内に、ヌメリの発生防止機能を低下させずに前記バイオフィルムの形成を阻害する薬剤を溶解させる水〔例えばシャワーなどの清浄な水供給源からの蛋白質（ペプトン）を含まない水〕を流入させるべく、この発明のヌメリ発生防止具は、排水口に設置されて排水口におけるヌメリの発生を防止するヌメリ発生防止具であって、バイオフィルムの形成を阻害する薬剤を収容する内側容器と、この内側容器を内蔵する外側容器の二重構造を備えており、内側容器は、薬剤が載置されるトレイと、これを覆う蓋とからなり、この蓋は、薬剤を溶解するよう内側容器内に流入する水の流入孔を有し、内側容器内から流出する薬剤溶解液の流出孔を前記流入孔よりも低い位置に有する一方、前記トレイは、内側容器内に水が流入しなくなった状態では、前記薬剤溶解液が前記薬剤に接触しないように前記流出孔の下方に水抜き用の孔が設けられており、また、外側容器は、水の流入孔と薬剤溶解液および水の流出孔を有することを特徴とする（請求項３）。
【発明の効果】
【００１０】
この発明では、排水口に設置されてバイオフィルムの形成を阻害する薬剤により排水口におけるヌメリの発生を防止するよう構成されているので、排水口にヌメリが生じ難いようにできる。
また、この発明では、容器内から流出する薬剤溶解液の流出孔を、例えばシャワーなどの清浄な水供給源からの蛋白質（ペプトン）を含まない水の流入孔よりも低い位置に設けているので、流入孔、流出孔の高さ位置や、流出孔の大きさを適宜設定することにより例えば浴室の洗い場の床面上を流れる石鹸水や皮脂などの蛋白質（ペプトン）を含む排水が、流入孔や流出孔から侵入しないようにできる。
【発明を実施するための最良の形態】
【００１１】
以下、この発明の実施例を、図を参照しながら説明する。なお、それによってこの発明は限定されるものではない。
【００１２】
図１〜４は、浴室の洗い場の排水口に設置されてバイオフィルムの形成を阻害する薬剤により排水口におけるヌメリの発生を防止するよう構成されたこの発明の第１の実施例を示す。図１〜４において、１は、浴室用ヌメリ発生防止具で、浴室の洗い場２の排水口３に設置されてバイオフィルムの形成を阻害する薬剤４により排水口３におけるヌメリの発生を防止するよう構成されている。ヌメリ発生防止具１は、バイオフィルムの形成を阻害する薬剤（例えば前記ダイマー３８。以下、単に薬剤という）４と、これを収容する容器５とからなる。この容器５は、平面視円形の上方開口６ａを有する、薬剤４が載置されるトレイ６と、上方開口６ａを覆う平面視円形のドーム型の蓋７とからなる。両者６，７は上下一対の環状の係合爪Ａ，Ｂによって取り外し自在に装着される。前記係合爪Ａは内向きに突出しており、前記係合爪Ａによって蓋７の下端部が形成されている。また、前記係合爪Ｂは外向きフランジＦの先端上方に突出しており、フランジＦによって上方開口６ａが形成されている。前記蓋７は、容器５内に流入する、清浄な水〔例えばシャワーなどの清浄な水供給源からの蛋白質（ペプトン）を含まない水〕の流入孔８を有する一方、前記トレイ６は、容器５内から流出する薬剤溶解液の流出孔９を前記流入孔８よりも低い位置に有する。前記流入孔８は、蓋７の中央に設けられており、平面視十字型をなして異物が容器５内に侵入し難い構成になっている。また、前記流出孔９は、トレイ６の垂直な外周部Ｍに適宜間隔を有して同一高さを維持しながら、円周方向に沿って複数個形成されている。
【００１３】
前記トレイ６は、平面視円形の前記外周壁Ｍと、平面視円形の垂直な内周壁Ｎと、両者Ｍ，Ｎに囲まれる幅Ｌの環状の薬剤溶解液貯留室１０と、内周壁Ｎの底１１とを備えており、さらに、内周壁Ｎと底１１によって薬剤載置室１２が形成されている。薬剤４は円板状であり、この実施例では薬剤４の高さが内周壁Ｎの高さよりも高いものを用いている。薬剤４は、底１１の上面に設けた複数のスペーサ１３によって底１１の上面から持ち上げられた状態で載置室１２に載置される。また、薬剤溶解液貯留室１０は、外周壁Ｍに連設された内側に環状の平坦部１４と、円周角で９０°の間隔を有して前駆平坦部１４において内側寄りに形成された複数の脚１５とより構成される。そして、底１１から下方に所定長さだけ垂直に連設されて脚１５の下面部１５ａに至る。
【００１４】
１６は、平坦部１４と外周壁Ｍの境に設けた孔で、その高さ位置は底１１の高さ位置に設定されている。孔１６は、円周方向に適宜間隔で複数個設けられている。また、１７は、内周壁Ｎの最下位置に設けた水抜き用の孔で、円周方向に適宜間隔で複数個設けられている。水抜き用の孔１７は、流出孔９の下方位置に設けられている。そして、平坦部１４と外周壁Ｍの境に設けた孔１６および水抜き用の孔１７の大きさはそれぞれ流出孔９の大きさよりも小さく設定されているとともに、前記水抜き用の孔１７よりも低い位置に前記孔１６が位置している。
【００１５】
而して、浴室の洗い場２の排水口３には、例えば下から順に、排水口２の排水丸穴１８に嵌込まれるネット状のヘアキャッチャー１９と、排水口３の上部段差部分Ｓに着脱自在に装着される平面視矩形で排水丸穴１８よりも大きな面積を持つ排水孔付蓋Ｃが備わっている場合、脚１５を介してヌメリ発生防止具１が排水孔付蓋Ｃの上に載置される。なお、この実施例では、洗い場２の床面２ａと排水孔付蓋Ｃの上面が面一であるとする。
【００１６】
浴室使用時には、石鹸水を含むとともに、皮脂などの蛋白質（ペプトン）を含む排水が洗い場２の床面２ａ上を流れながら、排水孔付蓋Ｃを通り抜ける一方、シャワーなどの清浄水供給源からの清浄な水が、ヌメリ発生防止具１の流入孔８に流入して薬剤４の一部を溶解させるとともに、薬剤載置室１２からオーバーフローした薬剤溶解液は薬剤溶解液貯留室１０に徐々に溜まっていく。しばらくすると、オーバーフローした薬剤溶解液貯留室１０内の薬剤溶解液は流出孔９の高さ位置にまで至り、薬剤溶解液貯留室１０の薬剤溶解液は流出孔９から流出し、排水孔付蓋Ｃ、ヘアキャッチャー１９を含む排水口３を流れる。そのため、排水口３に付着しているヌメリの発生を防止することができる。
【００１７】
そして、一旦シャワーなどの清浄水供給源を止めると、すなわち、容器５内に清浄な水が流入しなくなった状態では、先に容器５内に流入して容器５内に溜まった清浄な水によって薬剤の一部は溶解しており、その薬剤溶解液が薬剤溶解液貯留室１０内に溜まっているので、薬剤溶解液は飽和液になり易くなり、薬剤の溶解が安定する。この状態で清浄な水を再び供給すると、飽和溶解液を薄める形で、かつ、飽和溶解液に混じって薬剤溶解液が流出孔９から流出する。よって、排水口３に付着しているヌメリの発生を効果的に防止することができる。
【００１８】
ところで、前記薬剤４は、上述したように、石鹸水や皮脂などの蛋白質（ペプトン）を含む排水が接触するとヌメリの発生防止機能が低下する性質のものであることが分かっている。そこで、この実施例では、平坦部１４と外周壁Ｍの境に設けた孔１６の大きさを流出孔９の大きさよりも小さく設定することにより、また、脚１５の高さを適宜に設定して孔１６の床面２ａからの高さ位置を高くすることにより、床面２ａ上を流れる石鹸水や皮脂などの蛋白質（ペプトン）を含む排水が、可能な限り孔１６や、この孔１６よりも高い位置にある流出孔９から侵入しないようにしている。
【００１９】
また、内周壁Ｎに水抜き用の孔１７を設けることにより、容器５内に排水が流入しなくなった状態では、薬剤載置室１２内において前記薬剤溶解液が前記薬剤４に接触し続けないように、また、長い間、前記薬剤溶解液が薬剤載置室１２内に滞留しないようにすることができる。
【００２０】
図５〜７は、前記薬剤を収容する内側容器と、この内側容器を内蔵する外側容器の二重構造を備えたこの発明の第２の実施例を示す。図５〜７において、図１〜図４に示した符号と同一のものは同一または相当物である。
【００２１】
図５〜７において、ヌメリ発生防止具１’は、前記薬剤４を収容する内側容器２０と、この内側容器２０を内蔵する外側容器２１の二重構造を備えており、内側容器２０は、薬剤４が載置されるトレイ６と、これを覆う蓋７とからなり、この蓋７は、薬剤４を溶解するよう内側容器２０内に流入する清浄な水〔例えばシャワーなどの清浄な水供給源からの蛋白質（ペプトン）を含まない水〕の流入孔８を上面に有し、内側容器２０内から流出する薬剤溶解液の流出孔９を前記流入孔８よりも低い位置の周面７ｂに有する一方、前記トレイ６は、内側容器２０内に清浄な水が流入しなくなった状態では、前記薬剤溶解液が前記薬剤４に接触しないように前記トレイ６における前記流出孔９の下方に前記流出孔９よりも小さな水抜き用の孔１７が設けられており、また、外側容器２１は、内部に流入する清浄な水および排水の流入孔３０と外部に流出する薬剤溶解液および排水の流出孔３１を有する。
【００２２】
外側容器２１は、流入孔３０を有する平面視三角形の皿状の上部分Ａと、これと係合する平面視三角形の皿状の下部分Ｂとより構成されている。下部分Ｂには前記流出孔３１が形成されている。上部分Ａは、流入孔３０の外周位置に内面から下方に突出するリング状の壁３５を有する一方、下部分Ｂは、壁３５に対応する位置に内面から上方に突出するリング状の壁３６を有する。壁３５は、適宜間隔をおいて形成されている複数の切欠部分３５ａによって分割されている。また、壁３６は、適宜間隔をおいて、水抜き用の孔１７や流出孔９から流出した薬剤溶解液が通過する円周方向に幅広の複数の切欠部分を有する。また、流入孔３０は、上部分Ａの中央に位置する中央孔３０ａと、これを中心とする複数の同心円上にそれぞれ適宜間隔を有して設けた複数の円弧状の孔３０ｂと、上部分Ａの三つの周辺Ｐ，Ｑ，Ｒに適宜間隔を有して形成された複数の縦長の孔３０ｃとよりなる。また、流出孔３１は、下部分Ｂの中心３４を中心とする複数の同心円上にそれぞれ適宜間隔を有して設けた複数の円弧状の孔３１ｂと、下部分Ｂの三つの周辺部に適宜間隔を有して形成された複数の縦長の孔３１ｃとよりなる。前記薬剤４は内側容器２０の底に設けた複数のスペーサ１３ａを介して内側容器２０の底上に載置される。
【００２３】
而して、浴室使用時には、石鹸水を含むとともに、皮脂などの蛋白質（ペプトン）を含む排水が、図４に示したような洗い場２の床面２ａ上を流れながら、排水孔付蓋６を通り抜ける一方、シャワーなどの清浄水供給源からの清浄な水が、外側容器２１の流入孔３０を介して内側容器２０の流入孔８に流入し、内側容器２０内に収納されている薬剤４の一部を溶解させる。この薬剤溶解液は、内側容器２０内に徐々に溜まっていき、内側容器２０の流出孔９から流出し、さらに薬剤溶解液は、外側容器２１の孔３１ｂと縦長の孔３１ｃから流出し、排水孔付蓋Ｃ、ヘアキャッチャー１９を含む排水口３を流れる。そのため、排水口３に付着しているヌメリの発生を防止することができる。
【００２４】
また、床面２ａ上を流れる石鹸水や皮脂などの蛋白質（ペプトン）を含む排水が、縦長の孔３０ｃ、孔３１ｂ、縦長の孔３１ｃから外側容器２１内に流入しても、内側容器２０の下部に設けた水抜き用の孔１７は小さく形成されており、また、流出孔９が内側容器２０の上部に設けられていることから、前記排水が内側容器２０内に侵入することはない。
【００２５】
また、内側容器２０の下部に水抜き用の孔１７を設けることにより、内側容器２０内にシャワーなどの清浄水供給源からの清浄な水が流入しなくなった状態では、内側容器２０内において前記薬剤溶解液が前記薬剤４に接触し続けないように、また、長い間、前記薬剤溶解液が内側容器２０内に滞留しないようにすることができる。
【００２６】
図８〜１０は、この発明の第３の実施例を示す。図８〜１０において、図１〜図７に示した符号と同一のものは同一または相当物である。
【００２７】
図８〜１０において、ヌメリ発生防止具１’’は、流入孔３０を有する平面視三角形の皿状の上部分Ａ’と、これと係合する平面視三角形の皿状の下部分Ｂ’とより構成されている。下部分Ｂ’の底面には流出孔３１が形成されており、また、下部分Ｂ’内で底面における流出孔３１の外周側に流出孔３１を囲むように底面から上方に突出する適宜の高さＨのリング状の縦壁４０が形成されている。また、流入孔３０は、縦壁４０内の領域内に位置している。前記流入孔３０は、上部分Ａ’の中央に位置する中央孔３０ａと、これを中心とする一つの同心円上に適宜間隔を有して設けた複数の円弧状の孔３０ｂとよりなる。また、前記流出孔３１は、前記中央孔３０ａに対応する位置に形成された小孔３１ａと、この小孔３１ａを中心として点対称の位置に設けた一対の小孔３１ｂとよりなる。また、上部分Ａ’には、上部分Ａ’の三つの周辺部Ｐ，Ｑ，Ｒに、各辺方向に沿った形で適宜間隔を有して形成された複数の縦長の孔３０ｃが形成される一方、下部分Ｂ’にも、下部分Ｂ’の三つの周辺部Ｓ，Ｔ，Ｕに、各辺方向に沿った形で適宜間隔を有して形成された複数の縦長の孔３１ｄが形成されている。この実施例では、上部分Ａ’と下部分Ｂ’を係合させたときに、前記リング状の縦壁４０の上端ｊと上部分Ａ’の内面ｋとの間に環状の小さな隙間４１が形成されるよう縦壁４０の高さＨが設定されている。また、円板状の前記薬剤４は下部分Ｂ’の内面に設けた複数のスペーサ４２を介して下部分Ｂ’の底面上に載置される。なお、この実施例では、新品の薬剤４をスペーサ４２に載置したときの薬剤４の上面４ａの高さｈを縦壁４０の高さＨよりも小さく設定しているが、ヌメリ発生防止具１’’内に収容できる大きさのものであれば縦壁４０の高さＨよりも高い薬剤４を用いてもよい。
【００２８】
そして、流入孔３０から縦壁４０内に流入し、縦壁４０内に溜まった清浄な水によって薬剤の一部は溶解するが、縦壁４０内において薬剤溶解液の滞留時間をできるだけ長くして薬剤溶解液を飽和液になり易くさせるために縦壁４０の高さＨを可及的に高く設定し、その分縦壁４０内から薬剤溶解液が流出する隙間４１を小さくするとともに、孔３１ａ，３１ｂを小さく設定している。すなわち、孔３０ａ，３０ｂから清浄な水が流入するときは、縦壁４０内への流入量が隙間４１と孔３１ａ，３１ｂからの流出量よりも多いので、縦壁４０内には薬剤溶解液が滞留し、薬剤溶解液は飽和液になり易くなり、薬剤の溶解が安定する。この状態で清浄な水を再び供給すると、飽和溶解液を薄める形で、かつ、飽和溶解液に混じって薬剤溶解液が孔３１ａ，３１ｂから流出するとともに、隙間４１を介して孔３１ｄからも流出する。よって、排水口３（図４参照）に付着しているヌメリの発生を効果的に防止することができる。
【００２９】
而して、浴室使用時には、石鹸水を含むとともに、皮脂などの蛋白質（ペプトン）を含む排水が、図４に示したような洗い場２の床面２ａ上を流れながら、排水孔付蓋Ｃを通り抜ける一方、シャワーなどの清浄水供給源からの清浄な水が、ヌメリ発生防止具１’’の流入孔３０および孔３０ｃに流入して薬剤４の一部を溶解させる。この薬剤溶解液は、縦壁４０内に徐々に溜まっていくとともに、孔３１ａ，３１ｂから流出するとともに、隙間４１を介して孔３１ｄから流出し、排水孔付蓋Ｃ、ヘアキャッチャー１９を含む排水口３を流れる。そのため、排水口３に付着しているヌメリの発生を防止することができる。
【００３０】
また、床面２ａ上を流れる石鹸水や皮脂などの蛋白質（ペプトン）を含む排水が、たとえ孔３０ｃ，孔３１ｄからヌメリ発生防止具１’’内に流入しても、前記縦壁４０によって縦壁４０内に侵入することはない。また、小孔３１ａ，３１ｂからも排水は前記縦壁４０に侵入し難い。
【００３１】
図１１は、縦壁４０の上端ｊを上部分Ａ’の内面ｋに当接させたこの発明の第４の実施例を示す。図１１において、図１〜図１０に示した符号と同一のものは同一または相当物である。
【００３２】
図１１において、４５は、ヌメリ発生防止具１’’内のリング状の縦壁４０に形成した複数の小孔で、高さＨの同一周面上に適宜間隔を有して形成されている。これら小孔４５は、上記第３の実施例の隙間４１と同様の機能を有するものである。
【図面の簡単な説明】
【００３３】
【図１】この発明の第１の実施例を示す斜視図である。
【図２】上記実施例における構成説明図である。
【図３】上記実施例で用いた排水口を示す概略平面図である。
【図４】上記実施例における設置状態を示す分解図である。
【図５】この発明の第２の実施例で用いた内側容器を示す斜視図である。
【図６】上記第２の実施例を示す平面図である。
【図７】上記第２の実施例における構成説明図である。
【図８】この発明の第３の実施例を示す平面図である。
【図９】上記第３の実施例を示す構成説明図である。
【図１０】上記第３の実施例を示す底面図である。
【図１１】この発明の第４の実施例を示す構成説明図である。
【符号の説明】
【００３４】
１            ヌメリ発生防止具    
３            排水口
４            バイオフィルムの形成を阻害する薬剤
５            容器
６            トレイ
７            蓋
８            流入孔
９            流出孔
【図１】
2006233480.tif 000003
【図２】
2006233480.tif 000004
【図３】
2006233480.tif 000005
【図４】
2006233480.tif 000006
【図５】
2006233480.tif 000007
【図６】
2006233480.tif 000008
【図７】
2006233480.tif 000009
【図８】
2006233480.tif 000010
【図９】
2006233480.tif 000011
【図１０】
2006233480.tif 000012
【図１１】
2006233480.tif 000013